(57)【特許請求の範囲】
【請求項１】
浴槽の外周壁の四周を覆う保温カバーにおいて、
浴槽を右勝手及び左勝手に設置したときに洗い場側となるそれぞれの面に、洗い場の堰部との接触を回避するための空間を形成する薄厚部分を設けた断熱材からなるカバー本体と、
浴槽を設置したときに洗い場とは反対側となる面の薄厚部分にあてがうように装着される、両薄厚部分に共用の保温補助カバー部材と
を備えることを特徴とする保温カバー。
【請求項２】
前記保温補助カバー部材は、装着時に、薄厚部分との間で断熱空間が形成されるようにしてあることを特徴とする請求項１に記載の保温カバー。
【請求項３】
前記カバー本体及び保温補助カバー部材は、発泡樹脂により形成されていることを特徴とする請求項１又は２に記載の保温カバー。
【請求項４】
浴槽と、浴槽の外周壁の四周を覆う保温カバーとを備え、
保温カバーは、
浴槽を右勝手及び左勝手に設置したときに洗い場側となるそれぞれの面に、洗い場の堰部との接触を回避するための空間を形成する薄厚部分を設けた断熱材からなるカバー本体と、
浴槽を設置したときに洗い場とは反対側となる面の薄厚部分にあてがうように装着される、両薄厚部分に共用の保温補助カバー部材と
を備えることを特徴とする保温浴槽。
【請求項５】
前記保温補助カバー部材は、装着時に、薄厚部分との間で断熱空間が形成されるようにしてあることを特徴とする請求項４に記載の保温浴槽。
【請求項６】
前記カバー本体及び保温補助カバー部材は、発泡樹脂により形成されていることを特徴とする請求項４又は５に記載の保温浴槽。
【発明の詳細な説明】
【技術分野】
【０００１】
本発明は、浴槽の外周壁を被覆する保温カバー及びこの保温カバーを備えた保温浴槽に関する。
【背景技術】
【０００２】
従来、浴室ユニットにあっては、外周壁が発泡スチロールなどの断熱材からなる保温カバーにより被覆された保温浴槽が提案され、浴槽の保温効果が高まるよう工夫されている（図４〜図８参照）。
【０００３】
保温カバー２は、金型などで浴槽１の外周壁１６に沿うように発泡成型されることにより、浴槽１の外周壁１６に密着し、浴槽１の外周壁１６と外気とを遮断して浴槽１の保温効果を向上させる。また、適切な発泡倍率により成型された保温カバー２は、厚みが増すことで、浴槽１の保温効果を効率良く向上させることができる。
【０００４】
このように、先に提案された保温浴槽は、浴槽１の保温効果を効率良く向上させることができ、施工が容易であって、外見が綺麗に仕上がるため、広く採用されている（例えば、特許文献１）。
【０００５】
【特許文献１】特開２００７−１３０３７０号公報
【発明の概要】
【発明が解決しようとする課題】
【０００６】
しかしながら、先に提案された保温浴槽にあっては、保温カバー２で覆われてない浴槽より厚みがあるため、設置時に、洗い場床パン５の周端部から立ち上がる堰部５０と擦れて入浴者を不快にさせる音を発するおそれがある。そのため、保温カバー２には、洗い場床パン５側となる外周面２０２に、洗い場床パン５の堰部５０との接触を回避するために厚みを薄くした薄厚部分２０３が設けられている（図４、図７及び図８参照）。
【０００７】
また、従来の浴槽は、短辺寄りに排水孔１１が設けられ、且つ、短辺中心線で線対称となる形状を有することにより、浴室ユニットのレイアウトに応じて右勝手及び左勝手に設置自在とされている（図５参照）。そのため、保温カバー２は、右勝手で設置されたときに洗い場床パン５側となる外周面２０２と左勝手で設置されたときに洗い場床パン５側となる外周面２０２とのそれぞれに薄厚部分２０３が設けられるか（図１参照）、又は、右勝手設置状態の浴槽１に対応するものと左勝手設置状態の浴槽１に対応するものとが個別に作製されている（図４、図７及び図８参照）。
【０００８】
その結果、先に提案された保温浴槽にあっては、前者の保温カバー２を用いることにより、保温カバー２を左右勝手設置状態の浴槽で共用させることができる反面、設置時に洗い場床パン５とは反対側となる外周面２０２の薄厚部分２０３から熱が逃げ出して浴槽１の保温効果を損なうおそれがある。また、後者の保温カバー２を用いることにより、洗い場床パン５と反対側となる外周面２０２から熱が逃げ出すことがなく浴槽１の保温効果を保つことができる反面、保温カバー２を複数種製造するためのコストが高くなる。
【０００９】
本発明はかかる事情を鑑みてなされたものであり、浴槽を保温する保温カバーの、浴槽を右勝手及び左勝手に設置したときに洗い場側となるそれぞれの面に薄厚部分を設けておき、浴槽を設置したときに洗い場とは反対側となる面の薄厚部分に保温補助カバーを装着することにより、保温カバーを左右勝手設置状態の浴槽で共用させつつ、浴槽設置状態で洗い場とは反対側となる面の薄厚部分からの熱の逃げ出しを抑えて浴槽の保温効果の低下を抑えるようにできる保温カバー及びこの保温カバーを備えた保温浴槽を提供することを目的とする。
【課題を解決するための手段】
【００１０】
本発明に係る保温カバーは、浴槽の外周壁の四周を覆う保温カバーにおいて、浴槽を右勝手及び左勝手に設置したときに洗い場側となるそれぞれの面に、洗い場の堰部との接触を回避するための空間を形成する薄厚部分を設けた断熱材からなるカバー本体と、浴槽を設置したときに洗い場とは反対側となる面の薄厚部分にあてがうように装着される、両薄厚部分に共用の保温補助カバー部材とを備えることを特徴とする。
また、本発明に係る保温浴槽は、浴槽と、浴槽の外周壁の四周を覆う保温カバーとを備え、保温カバーは、浴槽を右勝手及び左勝手に設置したときに洗い場側となるそれぞれの面に、洗い場の堰部との接触を回避するための空間を形成する薄厚部分を設けた断熱材からなるカバー本体と、浴槽を設置したときに洗い場とは反対側となる面の薄厚部分にあてがうように装着される、両薄厚部分に共用の保温補助カバー部材とを備えることを特徴とする。
【００１１】
本発明に係る保温カバー及びこの保温カバーを備えた保温浴槽にあっては、洗い場の堰部との接触を回避するための薄厚部分を、浴槽を右勝手及び左勝手に設置したときに洗い場側となるそれぞれの面に設けることにより、保温カバーを右勝手設置状態の浴槽と左勝手設置状態の浴槽とで共用させる。これにより、保温カバーに要するコストを抑えることができる。また、浴槽を設置したときに洗い場とは反対側となる面の薄厚部分に保温補助カバーを装着することにより、薄厚部分からの熱の逃げ出しを抑える。更にまた、この保温補助カバーを両薄厚部分に共用させることにより、保温補助カバーに要するコストを抑える。
【００１２】
本発明に係る保温カバーは、前記保温補助カバー部材は、装着時に、薄厚部分との間で断熱空間が形成されるようにしてあることを構成としてもよい。
また、本発明に係る保温浴槽は、前記保温補助カバー部材は、装着時に、薄厚部分との間で断熱空間が形成されるようにしてあることを構成としてもよい。
【００１３】
本発明に係る保温カバー及びこの保温カバーを備えた保温浴槽にあっては、保温補助カバーと保温カバーの薄厚部分との間に断熱空間が形成されることにより、断熱空間に密閉された空気層に断熱材と略同等の断熱効果を発揮させる。これにより、保温補助カバーの断熱材を少量に抑えることができ、保温補助カバーに要するコストを抑えることができる。
【００１４】
本発明に係る保温カバーは、前記カバー本体及び保温補助カバー部材は、発泡樹脂により形成されていることを構成としてもよい。
また、本発明に係る保温浴槽は、前記カバー本体及び保温補助カバー部材は、発泡樹脂により形成されていることを構成としてもよい。
【００１５】
本発明に係る保温カバーにあっては、発泡樹脂により形成されることにより、軽くて、高い断熱性を有し、且つ、安価に製造することができる。
【発明の効果】
【００１６】
本発明に係る保温カバー及びこの保温カバーを備えた保温浴槽は、左右勝手設置状態の浴槽に共用させて保温カバーに要するコストを抑えることができる。併せて、この保温カバーを用いることにより生ずる、浴槽設置状態で洗い場とは反対側となる面の薄厚部分からの熱の逃げ出しを抑えることができ、浴槽の保温効果が低下しないようにできる。
【図面の簡単な説明】
【００１７】
【図１】本発明に係る保温カバー及びこの保温カバーを備えた保温浴槽の構成を示す斜視図である。
【図２】本発明に係る保温補助カバーの取付例を示す説明図であって、（ａ）は浴槽が左勝手で設置されたときの保温補助カバーの取付例を示す図、（ｂ）は浴槽が右勝手で設置されたときの保温補助カバーの取付例を示す図である。
【図３】本発明に係る保温補助カバーの構造を示す端面図であり、（ａ）は第１形態の保温補助カバーの構造を示す図、（ｂ）は第２形態の保温補助カバーの構造を示す図、（ｃ）は第３形態の保温補助カバーの構造を示す図、（ｄ）は第４形態の保温補助カバーの構造を示す図である。
【図４】従来の保温カバー及びこの保温カバーを備えた保温浴槽の構成を示す斜視図である。
【図５】従来の保温カバー及びこの保温カバーを備えた保温浴槽の構成を示す平面図である。
【図６】従来の保温カバー及びこの保温カバーを備えた保温浴槽の構成を示す側面断面図である。
【図７】左勝手で設置されたときの従来の保温浴槽を示す図であって、（ａ）は側面断面図、（ｂ）は平面図である。
【図８】右勝手で設置されたときの従来の保温浴槽を示す図であって、（ａ）は側面断面図、（ｂ）は平面図である。
【発明を実施するための形態】
【００１８】
実施の形態１．
本発明に係る保温カバー及びこの保温カバーを備えた保温浴槽を実施の形態を示す図に基づいて以下説明する。なお、本実施の形態を示す図において、本発明に係る保温浴槽と従来の保温浴槽との対応箇所については、同一の符号を付することとし、従来の保温浴槽についての図を適宜参照しながら本発明に係る保温浴槽を説明する。
【００１９】
本発明に係る保温浴槽は、図１に示すように、浴槽１と、浴槽１の外周壁を覆う保温カバー２とを備える。
【００２０】
詳述すると、浴槽１は、底部１０、排水孔１１、フットレスト１２、内周壁１３、フランジ１４、ヘッドレスト１５及び外周壁１６を備える（図１、図５及び図６参照）。底部１０は、略矩形をなし、その短辺寄りに排水孔１１及びフットレスト１２が形成されている。内周壁１３は、フットレスト１２を含む底部１０から上拡がりに立ち上がっている。フランジ１４は、内周壁１３の上端縁から外周方向に鍔状に張り出している。ヘッドレスト１５は、フットレスト１２と対向する位置にある内周壁１３の一部からフランジ１４の上面より上方に向かって盛り上がっている。
【００２１】
保温カバー２は、ポリスチレン製の断熱材を金型内で発泡させて形成させたものであり、従来のもの（図４参照）とは異なり、図１に示すように、カバー本体２０及び保温補助カバー２１を備える。
【００２２】
カバー本体２０は、所定の厚みを形成している内周面２０１及び外周面２０２と、外周面２０２の一部に所定の厚みより薄く形成された薄厚部分２０３とを備える。カバー本体２０は、その寸法が浴槽１の外周壁１６に密着する形状寸法となるように形成されている。また、薄厚部分２０３は、従来のもの（図４、図７及び図８参照）とは異なり、図１及び図２に示すように、浴槽１が右勝手で設置されたときに洗い場床パン５側となる外周面２０２の下端寄りの箇所と、浴槽１が左勝手で設置されたときに洗い場床パン５となる外周面２０２の下端寄りの箇所とにそれぞれ形成されている。薄厚部分２０３は、保温浴槽が洗い場床パン５の堰部５０と接触しない形状寸法となるように形成されている。また、各薄厚部分２０３は、１つの保温補助カバー２１を共用させることができるように、同形同寸となるように形成されている。
【００２３】
また、保温補助カバー２１は、発泡樹脂により形成され、薄厚部分２０３にぴたりとあたるように装着することができる形状寸法となるように形成されている。また、保温補助カバー２１は、上述した２つの薄厚部分２０３で共用させることができるように、左右対称に形成されている（図１参照）。なお、保温補助カバー２１を構成する発泡樹脂については、後述において詳しく説明する。
【００２４】
また、上述した保温浴槽が設置される浴室ユニットは、保温浴槽を取り付ける浴槽パン３と、浴槽パン３の周端部から立ち上がり浴室を囲む壁面パネル４と、浴槽パン３と連結して並設される洗い場床パン５と、浴槽１と洗い場床パン５との間を仕切るエプロン６と、浴槽１の風呂蓋７とを備える（図１、図７及び図８参照）。
【００２５】
このように、保温浴槽及びこの保温浴槽が設置される浴室ユニットは、複数の部材により構成されている。そこで、これらの部材を用いた保温浴槽の組み立てと保温浴槽の浴室ユニットへの取り付けとについて以下説明する。
【００２６】
浴槽パン３及び洗い場床パン５は、設置面上に平行に設置され、浴槽パン３の周端部と洗い場床パン５の堰部５０とが連結され、その位置で固定される。壁面パネル４は、浴室を囲むように浴槽パン３の周端部から立ち上がっている（図７及び図８参照）。
【００２７】
浴槽１は、外周壁１６に保温カバー２が被せられ、外周壁１６と保温カバー２の内周面２０１とが密着するように接着固定される。保温カバー２により覆われた浴槽１（即ち、保温浴槽）は、浴室ユニットのレイアウトに応じて右勝手又は左勝手のいずれかの方向に向けて設置される。保温浴槽は、図２に示すように、設置時に洗い場床パン５とは反対側となる保温カバー２の外周面２０２の薄厚部分２０３に、保温補助カバー２１がぴたりとあたるように装着される。保温補助カバー２１は、図３（ａ）に示すように、両面接着テープ、シリコンコーキング剤又は接着剤などの接着部材２１２を介して薄厚部分２０３に接着固定される（以下、第１形態という）。
【００２８】
保温浴槽は、洗い場床パン５側となる外周面２０２の薄厚部分２０３が洗い場床パン５の堰部５０に接触しないように、且つ、洗い場床パン５とは反対側となる外周面２０２の薄厚部分２０３に保温補助カバー２１が装着された状態で、浴槽パン３に取付固定される。最後に、保温浴槽は、洗い場床パン５との間を仕切るようにエプロン６が取り付けられる。エプロン６は、上端部が浴槽１のフランジ１４に固定され、下端部が洗い場床パン５の堰部５０に固定される（図７（ａ）及び図８（ａ）参照）。
【００２９】
このように組み立て取り付けられた保温浴槽は、以下の作用効果を奏する。この保温浴槽は、浴室ユニット内に設置したときに洗い場床パン５とは反対側となる保温カバー２の薄厚部分２０３に保温補助カバー２１を装着することにより、この薄厚部分２０３の厚みを補完して熱が逃げ出すことがないようにする。また、保温カバー２を左右勝手設置状態の浴槽１に共用することができることにより、保温カバー２のコストを抑える。
【００３０】
実施の形態２．
本発明に係る保温カバー２の保温補助カバー２１は、以下の形態を備えてもよい。保温補助カバー２１は、上述した第１形態の他に、図３（ｂ）〜（ｄ）に示すように、装着時に薄厚部分２０３との間に空気層を密閉する断熱空間２１０が形成されるようにしてもよい。
【００３１】
詳述すると、図３（ｂ）に示すように、装着時に薄厚部分２０３と対向する面（以下、対向面という。）２１１に凹部を設けることにより、装着時に、保温補助カバー２１と薄厚部分２０３との間に断熱空間２１０が形成されるようにしてもよい（以下、第２形態という）。
【００３２】
また、図３（ｃ）に示すように、対向面２１１の一部を切り欠くことにより、装着時に、保温補助カバー２１と薄厚部分２０３との間に断熱空間２１０が形成されるようにしてもよい（以下、第３形態という）。
【００３３】
更にまた、保温補助カバー２３の対向面２１１に凹部及び切り欠きを設けるのではなく、図３（ｄ）に示すように、厚みのある装着部材２１２を対向面２１１の周端部に沿って取り付けて、装着部材２１２により囲まれた空間を形成しておき、保温補助カバー２１の薄厚部分２０３への装着時に、この空間が断熱空間２１０として形成されるようにしてもよい（以下、第４形態という）。なお、第４形態の保温補助カバー２１は、装着部材２１２の厚み分だけ厚くなるため、保温カバー２の外周面２０２の面上から飛び出さないように、第１〜第３形態の保温補助カバー２１の厚みより薄くしておく。
【００３４】
このように第２形態〜第４形態の保温補助カバー２１は、以下の作用効果を奏する。この保温補助カバー２１は、薄厚部分２０３との間に断熱空間２１０を形成することにより、断熱空間２１０に密閉された空気層を用いて、断熱材と略同等の断熱効果を発揮させる。これにより、保温補助カバー２１の製造に要する発泡樹脂を少量にして軽量化することにより、自重による保温補助カバー２１の薄厚部分２０３からの脱落を防ぐことができ、且つ、製造コストを抑えることができる。
【００３５】
なお、断熱空間２１０は、密閉する空気層の厚みが２０ｍｍ以内、より好ましくは１０ｍｍ以内となるように形成されることが好ましい。空気層は、厚みが２０ｍｍを超えると断熱空間２１０内で対流し、断熱性能が低下するからである。
【００３６】
また、その他の部材については、上述した実施の形態１の部材と同じであるから、対応する箇所に同一符号を付することにより、その説明を省略する。
【００３７】
（発泡樹脂について）
保温補助カバー２１を構成する発泡樹脂については、発明者の鋭意努力の結果、以下のものが最適であることが判明した。
ａ  発泡倍率が１０〜８０倍、好ましくは２０〜６０倍の発泡ポリスチレン
ｂ  発泡倍率が１０〜６０倍、好ましくは１５〜５０倍の発泡ポリエチレン
ｃ  発泡倍率が１０〜６０倍、好ましくは１５〜５０倍の発泡ポリプロピレン
保温補助カバー２１は、保温性能を確保するために最適な発泡倍率とすることが好ましく、これより大きくとも小さくとも保温性能が損なわれることとなる。保温補助カバー２１は、押出成型法により成型された成形体から所定の形状が削り出されるか、金型によりブロック状に発泡成型された成形体から所定の形状が削り出される。
【００３８】
また、保温補助カバー２１は、発泡倍率が１０〜６０倍、好ましくは１５〜５０倍の硬質ウレタンフォームで構成されてもよい。かかる場合、保温補助カバー２１は、浴槽１の外周壁１６に硬質ウレタンフォームを直接吹き付けて発泡させた後に不要箇所が削り落とされて所定の形状に成形されるか、金型により所定の形状に成型される。
【００３９】
また、保温補助カバー２１は、発泡倍率が１０〜５０倍、好ましくは１５〜４０倍のフェノールフォームで構成されてもよい。かかる場合、保温補助カバー２１は、引抜成形法により成形された成形体から所定の形状に削り出される。
【００４０】
最後に、保温補助カバー２１の具体例を複数示す。
【００４１】
（実施例１）
保温補助カバー２１は、押出成型法により発泡倍率が３０倍となるように発泡されて成型された発泡ポリスチレンの成形体を所定の形状となるように切り削られ、保温カバー２の外周面２０２の薄厚部分２０３に、両面接着テープなどを介して接着される。
【００４２】
（実施例２）
保温補助カバー２１は、金型内で発泡倍率が３０倍となるように発泡されて１０ｍｍ厚の空気層を密閉することができる空間を形成するように成型され、保温カバー２の外周面２０２の薄厚部分２０３に、両面接着テープなどに介して接着される。
【００４３】
（実施例３）
保温補助カバー２１は、押出成型法により発泡倍率が３０倍となるように発泡されて成型された発泡ポリエチレンの成形体を所定の形状となるように切り削られ、保温カバー２の外周面２０２の薄厚部分２０３に、両面接着テープなどを介して接着される。
【００４４】
（実施例４）
保温補助カバー２１は、保温カバー２の外周面２０２の薄厚部分２０３に水発泡性のウレタンを吹き付け、発泡倍率が２５倍となるように発泡させた後、薄厚部分２０３からはみ出した部分が削り取られる。
【００４５】
なお、上述した実施の形態において、保温補助カバー２１は、各薄厚部分２０３に対応するように個別に作製するのでなく、両薄厚部分２０３で共用可能な形状となるように作製する。これにより、保温補助カバー２１に要する製造コストを抑える。
【００４６】
また、上述した実施の形態において、保温浴槽は、施工時に、浴槽１の外周壁１６に保温カバー２が被せられるようにしてあるが、本発明は、これに限定されるものでなく、浴槽１の外周壁１６に保温カバー２が密着するように製造され、２層構造を有するようにされてもよい。
【００４７】
また、上述した実施の形態において、保温カバー２は、浴槽１のフットレスト１２を形成するための凹みに密着するように、外周面２０２に凹みが設けられ、この凹みと薄厚部分２０３とが連なるように形成されている（図１参照）。しかし、本発明は、これに限定されるものでなく、少なくとも、浴槽１を設置したときに洗い場床パン５側の外周面２０２とその反対側の外周面２０２とに、洗い場床パン５の堰部５０との接触を避けるための薄厚部分２０３が形成されていればよい。
【００４８】
上述の実施の形態に関し、更に以下の付記を開示する。
【００４９】
（付記１）
浴槽の外周壁の四周を覆う保温カバーにおいて、
浴槽を右勝手及び左勝手に設置したときに洗い場側となるそれぞれの面に、洗い場の堰部との接触を回避するための空間を形成する薄厚部分を設けた断熱材からなるカバー本体と、
浴槽を設置したときに洗い場とは反対側となる面の薄厚部分にあてがうように装着される、両薄厚部分に共用の保温補助カバー部材と
を備えることを特徴とする保温カバー。
【００５０】
（付記２）
前記保温補助カバー部材は、装着時に、薄厚部分との間で断熱空間が形成されるようにしてあることを特徴とする付記１に記載の保温カバー。
【００５１】
（付記３）
前記カバー本体及び保温補助カバー部材は、発泡樹脂により形成されていることを特徴とする付記１又は２に記載の保温カバー。
【００５２】
（付記４）
浴槽と、浴槽の外周壁の四周を覆う保温カバーとを備え、
保温カバーは、
浴槽を右勝手及び左勝手に設置したときに洗い場側となるそれぞれの面に、洗い場の堰部との接触を回避するための空間を形成する薄厚部分を設けた断熱材からなるカバー本体と、
浴槽を設置したときに洗い場とは反対側となる面の薄厚部分にあてがうように装着される、両薄厚部分に共用の保温補助カバー部材と
を備えることを特徴とする保温浴槽。
【００５３】
（付記５）
前記保温補助カバー部材は、装着時に、薄厚部分との間で断熱空間が形成されるようにしてあることを特徴とする付記４に記載の保温浴槽。
【００５４】
（付記６）
前記カバー本体及び保温補助カバー部材は、発泡樹脂により形成されていることを特徴とする付記４又は５に記載の保温浴槽。
【００５５】
（付記７）
保温カバーで浴槽の外周壁の四周を覆う保温構造において、
断熱材からなる保温カバーの本体の、浴槽を右勝手及び左勝手に設置したときに洗い場側となるそれぞれの面に、洗い場の堰部との接触を回避するための空間を形成する薄厚部分を設け、
保温カバーの保温補助カバー部材を、浴槽を設置したときに洗い場とは反対側となる面の薄厚部分にあてがうように装着するようにしてあることを特徴とする保温構造。
【符号の説明】
【００５６】
１  浴槽
１６  外周壁
２  保温カバー
２０  カバー本体
２０２  外周面
２０３  薄厚部分
２１  保温補助カバー
２１０  断熱空間
２１１  対向面
２１２  接着部材
３  浴槽パン
４  壁面パネル
５  洗い場床パン
５０  堰部
６  エプロン
７  風呂蓋
【図１】
0005477952.tif 000002
【図２】
0005477952.tif 000003
【図３】
0005477952.tif 000004
【図４】
0005477952.tif 000005
【図５】
0005477952.tif 000006
【図６】
0005477952.tif 000007
【図７】
0005477952.tif 000008
【図８】
0005477952.tif 000009